(57)【要約】【課題】東日本大震災クラスの大地震が発生した場合でも、側方流動による給水栓、消火栓や弁類の損傷を防いで、貯水タンク内の貯留水を使用可能とする。【解決手段】水平に設置された鋼製筒形貯水タンク１０と、該貯水タンク１０の上部に溶接接合された鋼製弁室（給水栓室３０、緊急遮断弁室５２）とを有する耐震性貯水槽であって、前記貯水タンク１０と前記弁室（３０、５２）との溶接接合部にコンクリート６０又はモルタルを充填する。ここで、前記コンクリート６０又はモルタルは、現地溶接部３０ｃ、５２ｃより下方に充填することができる。【選択図】図２
2015232243.tif 000002
【特許請求の範囲】
【請求項１】
水平に設置された鋼製筒形貯水タンクと、該貯水タンクの上部に溶接接合された鋼製弁室とを有する耐震性貯水槽であって、
前記貯水タンクと前記弁室との溶接接合部にコンクリート又はモルタルが充填されていることを特徴とする耐震性貯水槽。
【請求項２】
前記弁室が上部と下部に分割され、現地で溶接するようにされていることを特徴とする請求項１に記載の耐震性貯水槽。
【請求項３】
前記コンクリート又はモルタルが、現地溶接部より下方に充填されていることを特徴とする請求項２に記載の耐震性貯水槽。
【請求項４】
前記弁室が、給水栓室と緊急遮断弁室を含むことを特徴とする請求項１乃至３のいずれかに記載の耐震性貯水槽。
【発明の詳細な説明】
【技術分野】
【０００１】
本発明は、耐震性貯水槽に係り、特に、地震で地盤が液状化した際に、傾斜や段差のある地形で泥水状になった地盤が水平方向に移動する側方流動が懸念される場所に埋設するのに好適な、側方流動に強い耐震性貯水槽に関する。
【背景技術】
【０００２】
地震等の非常時において、水道本管がその機能を損い、飲料水や消火用水の供給ができなくなった場合に、その内部の貯留水を飲料水や消火用水として迅速に供給するために、水道施設の一部として組み込まれて地下に埋設される非常用貯水槽が知られている。
【０００３】
例えば特許文献１には、貯水槽本体の貯留水を吸い出す吸水管を地中に埋設しながら延設し、吸水管の端部に設けられた接続部を、貯水槽本体より離れた位置の地上部に設けて、吸水管の接続部にポンプ等の接続部分を素早く接続することができ、非常時においても迅速に貯水槽本体の貯留水を供給できるようにすることが記載されている。
【０００４】
又、特許文献２には、筒形タンクに、両端部が該筒形タンクの両端板との間に空間を形成するように該筒形タンクの内部を長軸方向に沿って連続する２つの流路に区画する仕切板を設け、前記筒形タンクに、該筒形タンクの仕切板によって区画された２つの流路のうちの一方の流路を横断して２つの分割流路に区画する分割仕切板を設け、流入管を筒形タンクの一方の分割流路における分割仕切板の付近に接続し、流出管を筒形タンクの他方の分割流路における分割仕切板の付近に接続するようにして、筒形タンク内の滞留水を可及的に抑えることが記載されている。
【０００５】
従来の非常用貯水槽の一例を図１（Ａ）平面図、（Ｂ）図１（Ａ）のＢ−Ｂ線に沿う縦断面図、及び、（Ｃ）図１（Ｂ）のＣ−Ｃ線に沿う横断面図に示す。地中に水平に埋設された筒形貯水タンク（以下、単に貯水タンクと称する）１０の上部には、非常時にエンジンポンプや手押しポンプを接続して貯水タンク１０内の水を給水するための給水栓１２と、貯水タンク１０内の空気を貯水タンク１０外に排出したり、貯水タンク１０内の水を給水栓１２から外部に給水する時に貯水タンク１０外の空気を貯水タンク１０内に取り入れるための空気弁１６と、非常時に水道本管からの管路を遮断して、貯水タンク１０内の水の流出を防ぐと共に、飲料水が汚染されないようにするために別途設置した緊急遮断弁（以下、単に遮断弁とも称する）との接続口２０が設けられている。
【０００６】
前記給水栓１２は、例えば砕石１４ａ、コンクリート基礎１４ｂ、コンクリート製の胴部１４ｃ、同じくコンクリート製の受台１４ｄ、地表ＧＬと同じ高さのマンホール蓋１４ｅで構成された給水栓室１４に収容され、空気弁１６も、例えば砕石１８ａ、コンクリート基礎１８ｂ、コンクリート製の胴部１８ｃ、同じくコンクリート製の受台１８ｄ、地表ＧＬと同じ高さのマンホール蓋１８ｅで構成された空気弁室１８に収容されている。ここで、コンクリート製の胴部１４ｃと受台１４ｄ、及び、コンクリート製の胴部１８ｃと受台１８ｄは、まとめてマンホール側塊とも称する。
【０００７】
図において、２２は、貯水タンク１０の下部に沿って略水平に設けられた、図示しない遮断弁を介して水道本管に接続される流入管、２４は、貯水タンク１０の上部に沿って略水平に設けられた、図示しない遮断弁を介して水道本管に接続される流出管、２６は、前記給水栓１２に接続された給水管、２８は、異物等を凹部内に残留させるための集水ピット、２９は、作業用のはしごである。
【０００８】
このような非常用貯水槽において、水道水は常時、水道本管から流入管２２を通じて貯水タンク１０内に流れ込んで貯留されており、流出管２４を通じて水道本管に流れ出すことにより貯留水は循環し、常に新しい水が蓄えられている。従って、平常時は水道本管の一部である消火栓として使用し、非常時にはポンプを用いて飲料水を汲み出すことができる。
【先行技術文献】
【特許文献】
【０００９】
【特許文献１】特開２０００−１２９７３５号公報
【特許文献２】特許第３４６７３７８号公報
【発明の概要】
【発明が解決しようとする課題】
【００１０】
しかしながら従来は、図１に示したように、給水栓１２や空気弁１６等がコンクリートブロック製のマンホール側塊で構成された給水栓室１４や空気弁室１８に収容されていたため、地震時にコンクリートブロック製のマンホール側塊が鋼製の貯水タンク１０と同じ挙動を示さず、特に、貯水タンク１０が傾斜や段差のある地形に埋設された場合には、液状化現象が起きた際に、泥水状になった地盤が水平方向に移動する側方流動によって、貯水タンク１０の上部に設置されたコンクリートブロック製の弁室（マンホール側塊）が給水栓１２や空気弁１６に接触し、これらを損傷することがあった。
【００１１】
なお、特許文献２の段落００４７には、強い地震力が発生した場合でも、流入管、流出管や各遮断弁等の機器は、遮断弁室内にまとめて収容され、筒形タンクと一体となって該筒形タンクと相対移動がないので、破壊の虞がないと記載されているが、東日本大震災では、地域の地盤の広域的な液状化に伴い側方流動を受け、給水栓、消火栓や弁類に接触することで、これらが損傷し、貯水タンク本体には貯留水があるが使用できないという被害があった。
【００１２】
本発明は、前記従来の問題点を解消するべくなされたもので、東日本大震災クラスの大地震が発生した場合でも、側方流動による給水栓、消火栓や弁類の損傷を防いで、貯水タンク内の貯留水を使用可能とすることを課題とする。
【課題を解決するための手段】
【００１３】
本発明は、水平に設置された鋼製筒形貯水タンクと、該貯水タンクの上部に溶接接合された鋼製弁室とを有する耐震性貯水槽であって、前記貯水タンクと前記弁室との溶接接合部にコンクリート又はモルタルを充填することにより、前記課題を解決したものである。
【００１４】
ここで、前記弁室を上部と下部に分割し、現地で溶接することができる。
【００１５】
又、前記コンクリート又はモルタルを、現地溶接部より下方に充填することができる。
【００１６】
又、前記弁室が、給水栓室と緊急遮断弁室を含むことができる。
【発明の効果】
【００１７】
本発明によれば、給水栓室や緊急遮断弁室等の弁室を鋼製として貯水タンクと同じ材質とし、更に貯水タンクと弁室との溶接接合部にコンクリート又はモルタルを充填したので、貯水タンクと弁室を一体構造として、水平動に対する強度を高め、東日本大震災クラスの大地震が発生した場合でも、側方流動による給水栓、消火栓や弁類の損傷を防いで、貯水タンク内の貯留水を使用可能とすることができる。
【図面の簡単な説明】
【００１８】
【図１】従来の非常用貯水槽の一例の構成を示す（Ａ）平面図、（Ｂ）図１（Ａ）のＢ−Ｂ線に沿う縦断面図、及び、（Ｃ）図１（Ｂ）のＣ−Ｃ線に沿う横断面図
【図２】本発明の実施形態を示す（Ａ）平面図、（Ｂ）図２（Ａ）のＢ−Ｂ線に沿う縦断面図、及び、（Ｃ）図２（Ｂ）のＣ−Ｃ線に沿う横断面図
【図３】図２（Ｂ）のIII−III線に沿う拡大横断面図
【図４】図２（Ｂ）のIV−IV線に沿う拡大横断面図
【発明を実施するための形態】
【００１９】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００２０】
本発明の実施形態は、図２に示す如く、水平に設置された鋼製筒形貯水タンク１０と、該貯水タンク１０の上部に溶接接合された、給水栓１２を収容するための鋼製給水栓室３０、及び、緊急遮断弁５０を収容するための鋼製緊急遮断弁室５２を有する耐震性貯水槽であって、前記給水栓室３０と緊急遮断弁室５２を、図３及び図４に詳細に示す如く、運搬の都合上、それぞれ上部給水栓室３０ａと下部給水栓室３０ｂ、上部遮断弁室５２ａと下部遮断弁室５２ｂに分割し、現地溶接部３０ｃ、５２ｃで現地溶接すると共に、該現地溶接部３０ｃ、５２ｃより下方にコンクリート６０を充填するようにしたものである。
【００２１】
図３において、３２は、給水栓室３０の地表ＧＬに位置する鉄蓋、３４は、地表ＧＬから消防ポンプの吸管を接続し、貯水タンク１０内の水を吸水するための専用導水設備を構成する採水口、３８は、同じく専用導水設備を構成する導水管である。
【００２２】
又、図４において、５４は、緊急遮断弁室５２の地表ＧＬに位置する鉄蓋である。
【００２３】
このようにして、貯水タンク１０と給水栓室３０との溶接接合部、及び、貯水タンク１０と緊急遮断弁室５２との溶接接合部にコンクリート６０を充填することによって、給水栓室３０及び緊急遮断弁室５２と貯水タンク１０を一体構造とする。これにより、地震発生時に貯水タンク１０と給水栓室３０及び緊急遮断弁室５２の挙動を一致させることができ、側方流動時に給水栓室３０及び緊急遮断弁室５２と貯水タンク１０の相対移動により、給水栓１２や緊急遮断弁５０が破損することがなくなる。更に、貯水タンク１０と弁室（３０、５２）の溶接部の内側に雨水（結露も含む）や埃等が溜まって腐食の原因となるのを防ぐこともできる。
【００２４】
なお、前記実施形態においては、コンクリート６０が現地溶接部３０ｃ、５２ｃよりも下方に充填されていたが、充填位置はこれに限定されない。
【００２５】
又、本発明が対象とする弁室は給水栓室３０と緊急遮断弁室５２に限定されず、例えば特許文献１のように、緊急遮断弁が別途設置されている場合には、空気弁１６に適用してもよい。
【００２６】
充填材料もコンクリート６０に限定されず、他の充填材料、例えばモルタルでもよい。
【符号の説明】
【００２７】
１０…貯水タンク
１２…給水栓
３０…給水栓室
３０ａ…上部給水栓室
３０ｂ…下部給水栓室
３０ｃ…現地溶接部
５０…緊急遮断弁
５２…緊急遮断弁室
５２ａ…上部遮断弁室
５２ｂ…下部遮断弁室
５２ｃ…現地溶接部
６０…コンクリート
【図１】
2015232243.tif 000003
【図２】
2015232243.tif 000004
【図３】
2015232243.tif 000005
【図４】
2015232243.tif 000006